(57)【要約】【課題】  省電力モードに移行した後も、スレーブは、マスタから供給されるクロック信号を用いてオフフックの検出機能を継続させていた。このため、マスタは省電力モードに移行した後も、スレーブにクロック信号を供給し続けなければならず、省電力モードに移行できなかった。【解決手段】  画像通信装置及びその制御方法であって、一方をマスタ、他方をスレーブとし、前記マスタより前記スレーブにクロック信号を供給することによりデータ転送を行うシリアルインターフェースと、クロック信号を発生するクロック発振部と、前記クロック発振部から出力されるクロック信号或いは前記マスタからのクロック信号のいずれかを選択して前記スレーブに供給する切り替え部と、省電力モードに移行すると、前記マスタの動作を停止し、前記切り替え部を制御して前記クロック発振部から出力されるクロック信号を前記スレーブに供給する。【選択図】  図７
2015119369.tif 000002
【特許請求の範囲】
【請求項１】
画像通信装置であって、
一方をマスタ、他方をスレーブとし、前記マスタより前記スレーブにクロック信号を供給することによりデータ転送を行うシリアルインターフェースと、
クロック信号を発生する発振手段と、
前記発振手段から出力されるクロック信号或いは前記マスタからのクロック信号のいずれかを選択して前記スレーブに供給する切り替え手段と、
省電力モードに移行すると、前記マスタの動作を停止し、前記切り替え手段を制御して前記発振手段から出力されるクロック信号を前記スレーブに供給するように制御する制御手段と、
を有することを特徴とする画像通信装置。
【請求項２】
前記スレーブは電話機或いはハンドセットに接続され、送信時は、前記電話機或いはハンドセットからのアナログ音声信号をデジタル音声信号に変換し、受信時は、受信したデジタル音声信号をアナログ音声信号に変換して前記電話機或いはハンドセットに出力することを特徴とする請求項１に記載の画像通信装置。
【請求項３】
前記デジタル音声信号は、ＰＣＭデータであることを特徴とする請求項２に記載の画像通信装置。
【請求項４】
前記マスタは、前記制御手段と前記ＰＣＭデータとのインターフェースを制御するインターフェース変換部であることを特徴とする請求項３に記載の画像通信装置。
【請求項５】
マスタをモデム処理部、スレーブを前記制御手段と前記ＰＣＭデータとのインターフェースを制御するインターフェース変換部とする第１のシリアルインターフェースを更に有することを特徴とする請求項３又は４に記載の画像通信装置。
【請求項６】
画像通信装置であって、
一方をマスタ、他方をスレーブとし、前記マスタより前記スレーブにクロック信号を供給することによりデータ転送を行うシリアルインターフェースと、
クロック信号を発生する発振手段と、
省電力モードに移行すると前記マスタの動作を停止し、前記スレーブでクロック信号を発生するように制御する制御手段と、
を有することを特徴とする画像通信装置。
【請求項７】
前記スレーブはＰＬＬ回路を有し、当該ＰＬＬ回路のＶＣＯ回路をフリーランさせて前記クロック信号を発生することを特徴とする請求項６に記載の画像通信装置。
【請求項８】
一方をマスタ、他方をスレーブとし、前記マスタより前記スレーブにクロック信号を供給することによりデータ転送を行うシリアルインターフェースを有する画像通信装置を制御する制御方法であって、
クロック信号を発生する発振部から出力されるクロック信号或いは前記マスタからのクロック信号のいずれかを選択して前記スレーブに供給する切り替え工程と、
制御手段が、省電力モードに移行すると、前記マスタの動作を停止し、前記切り替え工程で前記発振部から出力されるクロック信号を前記スレーブに供給するように制御する制御工程と、
を有することを特徴とする画像通信装置の制御方法。
【請求項９】
コンピュータを、請求項１乃至７のいずれか１項に画像通信装置として機能させるためのプログラム。
【発明の詳細な説明】
【技術分野】
【０００１】
本発明は、画像通信装置及びその制御方法とプログラムに関するものである。
【背景技術】
【０００２】
近年、従来の回線交換式の電話回線網をＩＰ（Internet  Protocol）技術をベースにしたネットワークに置き換え、ＬＡＮ或いは次世代ネットワーク（ＮＧＮ）を介してサービスを提供する技術が幅広く普及している。このＮＧＮ（Next  Generation  Network）は、ネットワーク自体に帯域保証機能やセキュリティ機能を備え、電話、映像通信、データ通信等のサービスを統合的に実現するＩＰネットワークである。また、これらＬＡＮ或いはＮＧＮ上の通信機器の間には仮想的なセッションが確立され、セッションが成立している間、サービスを提供するＳＩＰ（Session  Initiation  Protocol）が普及し、利用されている。このＳＩＰによりセッションを確立した通信機器では、ＩＰやＶＯＩＰ（Voice  Over  IP）等のプロトコルを用いて、複数のＰＣＭインターフェース間でＰＣＭデータの転送を行って通話や画像通信を行っている。画像通信に関して、例えば、ＩＴＵ−Ｔ勧告Ｔ．３８のデジタルファクシミリ手順によるファクシミリ通信及びＩＴＵ−Ｔ勧告Ｔ．３０のデジタルファクシミリ手順によるファクシミリ通信（ＶＯＩＰみなし音声によるＴ．３０ファクシミリ通信）等がある。
【０００３】
このような通話或いは画像通信では、複数のＰＣＭインターフェースによるＰＣＭデータの転送が行われる。このＰＣＭデータの転送では、データ信号線と同期信号線とを備える同期シリアルバスが用いられ、データ転送の一方をマスタ、他方をスレーブとして動作させている。また複数のスレーブを選択的に切り替えてマスタと接続し、複数のスレーブとＰＣＭデータの転送を行う場合も、一方をマスタ、他方をスレーブとして動作させることは同じであり、マスタのデータ転送タイミングで双方向データの送受信を行っている。特許文献１には、マスタに接続した同期シリアルバスに複数のスレーブを接続する場合の、マスタによるシリアルデータ通信が記載されている。
【０００４】
一方、このような通話或いは画像通信を行う装置では、使用頻度が少ない場合に省電力を実現するため、動作しない時間が一定以上経過すると、自動的に省電力モードに移行することが一般に行われている。この省電力モードでは、機能を継続する必要がある処理部以外への電力供給やクロック信号の供給を停止させている（例えば特許文献２参照）。この機能を継続する必要がある処理部とは、例えば通話に関して言えば、オフフックの検出機能である。従って、省電力モードに移行した後も、受話器のオフフックを検出するために、このオフフック検出に係わる処理部への電力供給やクロック信号の供給は維持されている。
【先行技術文献】
【特許文献】
【０００５】
【特許文献１】特開２００５−２０２６４３号公報
【特許文献２】特開２００７−６５１８号公報
【発明の概要】
【発明が解決しようとする課題】
【０００６】
ＰＣＭインターフェースのスレーブでは、マスタから供給されるクロック信号を用いてＰＣＭデータの転送を行う。更に、マスタから供給されるクロック信号をＰＬＬ回路により逓倍したクロック信号を利用して、ＰＣＭデータの転送以外のスレーブが有するその他機能、例えばオフフックの検出機能を動作させる場合がある。このような場合、スレーブが有するその他機能、例えばオフフックの検出機能は、スレーブが省電力モードに移行した後も継続させる必要がある。このため、マスタはスレーブにクロック信号を供給し続ける必要があり、そのためマスタは、省電力モードに移行できないという問題があった。
【０００７】
本発明の目的は、上記従来技術の問題点を解決することにある。
【０００８】
本発明の特徴は、省電力モードでマスタの動作を停止しても、スレーブが省電力モードで必要な処理を継続して実行できる技術を提供することにある。
【課題を解決するための手段】
【０００９】
上記目的を達成するために本発明の一態様に係る画像通信装置は以下のような構成を備える。即ち、
画像通信装置であって、
一方をマスタ、他方をスレーブとし、前記マスタより前記スレーブにクロック信号を供給することによりデータ転送を行うシリアルインターフェースと、
クロック信号を発生する発振手段と、
前記発振手段から出力されるクロック信号或いは前記マスタからのクロック信号のいずれかを選択して前記スレーブに供給する切り替え手段と、
省電力モードに移行すると、前記マスタの動作を停止し、前記切り替え手段を制御して前記発振手段から出力されるクロック信号を前記スレーブに供給するように制御する制御手段と、を有することを特徴とする。
【発明の効果】
【００１０】
本発明によれば、省電力モードで、マスタよりのクロック信号の供給を停止しても、スレーブの必要な機能を継続して動作させることができる。
【図面の簡単な説明】
【００１１】
【図１】本発明の実施形態に係るネットワークシステムの構成を示す図。
【図２】ＳＩＰセッション確立時のシーケンスを説明する図で。
【図３】本実施形態に係る画像通信装置のハードウェア構成を示すブロック図。
【図４】実施形態に係るＰＣＭ処理部の構成を示すブロック図。
【図５】図４のＰＣＭインターフェースのタイミングチャートを説明する図。
【図６】実施形態に係る音声処理部の構成を説明するブロック図。
【図７】本実施形態に係る画像通信装置における省電力モードへの移行、及び省電力モードからの復帰処理を説明するフローチャート。
【図８】本発明の他の実施形態に係るＰＣＭ処理部の構成を説明するブロック図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
本実施形態では、ＩＰファクシミリ機能及びＩＰ電話機能を搭載した画像通信装置の省電力動作に関して説明する。特にＰＣＭ（Pulse  Code  Modulation）データを転送するＰＣＭインターフェース等の複数の同期シリアルインターフェースを有する画像通信装置の省電力動作に関して説明する。
【００１４】
図１は、本発明の実施形態に係るネットワークシステムの構成を示す図である。
【００１５】
ＮＧＮ網１０８には、ＳＩＰサーバ１０４、ホームゲートウェイ（ＨＧＷ）１０５，１０６、メディアゲートウェイ（メディアＧＷ）１０７が接続されている。ＳＩＰサーバ１０４は、ＩＰ電話サービス及びＩＰファクシミリ通信における呼接続処理を行なうため、電話番号とＩＰアドレスの変換等のＳＩＰ（Session  Initiation  Protocol）サービスを提供する。ホームゲートウェイ１０５，１０６はそれぞれ、ＮＧＮ網１０８と画像通信装置１０１，１０２のそれぞれとを中継するように接続される。これらはＩＴＵ−Ｔ勧告Ｔ．３８のデジタルファクシミリ手順によるファクシミリ通信及びＩＴＵ−Ｔ勧告Ｔ．３０のデジタルファクシミリ手順によるファクシミリ通信（ＶＯＩＰみなし音声によるＴ．３０ファクシミリ通信）を行うインターフェース機器である。
【００１６】
メディアゲートウェイ１０７は、ＮＧＮ網１０８とＰＳＴＮ１０９とを接続するため、回線業者やネットワーク業者により設置される。メディアゲートウェイ１０７は、音声信号とＩＰパケットの間で信号のデジタル／アナログ変換を行なうとともに、ＰＳＴＮ１０９に接続された加入者端末（音声端末等）に対する発呼を制御する。画像通信装置１０３は、ＰＳＴＮ１０９に接続されたＧ３アナログファクシミリ装置で、ＩＴＵ−Ｔ勧告Ｔ．３０のアナログファクシミリ手順によりファクシミリ通信を行なう。
【００１７】
図２（Ａ）（Ｂ）は、ＳＩＰセッション確立時のシーケンスを説明する図である。ここでは、ＳＩＰセッションが成立している間にサービスを提供するＳＩＰに関して説明する。
【００１８】
図２（Ａ）は、本実施形態に係る画像通信装置１０２が画像通信装置１０１に対してＳＩＰセッションの確立を希望する場合のシーケンスを説明する図である。ここでは、画像通信装置１０２がオファーＳＤＰ（Session  Description  Protocol）を含めたＳＩＰ接続要求メッセージ（ＩＮＶＩＴＥ）を画像通信装置１０１に送信する。
【００１９】
まず２０１で、画像通信装置１０２は、画像通信装置１０１に対して、ＩＮＶＩＴＥメッセージを送信する。このＩＮＶＩＴＥメッセージには、ＳＩＰセッションで利用したいメディア情報と受信ポート番号を記述したＳＤＰが含まれている。
【００２０】
ここでは、通話を目的として、m=audio 5004 UDPと記述することにより、メディア種別（音声）をＵＤＰのポート番号「５００４」を利用してデータ通信を行うＳＩＰセッションを確立するよう提案している。画像通信装置１０１は、自装置宛の、このＩＮＶＩＴＥメッセージを受信すると、そのＩＮＶＩＴＥメッセージに含まれているオファーＳＤＰを精査する。そして、そのＩＮＶＩＴＥメッセージに、対応可能なメディア情報が記述されていると、200 OKメッセージを画像通信装置１０２に送信する（２０２）。尚、この200 OKメッセージには、画像通信装置１０１が受け入れるメディア情報（audio）と受信ポート番号(5004)を記述したＳＤＰが含まれている。この実施形態では、m=audio 5004 UDPと記述している。これにより、画像通信装置１０１は、メディア種別（音声）をＵＤＰのポート番号「５００４」を受信ポートとしてデータ通信を行うＳＩＰセッションを確立することに同意している。
【００２１】
画像通信装置１０２は、この200 OKメッセージを受信すると、２０３で、200 OKメッセージを受信したことを示すＡＣＫメッセージを送信する。これによって、画像通信装置１０２と画像通信装置１０１との間に、両者が同意したａｕｄｉｏ（音声）のメディア情報でデータ通信を実現するＳＩＰセッションが確立されたこととなる。尚、前述したａｕｄｉｏ以外のメディア種別でセッションを確立することも可能である。
【００２２】
図２（Ｂ）は、本実施形態に係る画像通信装置１０２が画像通信装置１０１に対してオファーＳＤＰを含めたＳＩＰ接続要求メッセージ（ＩＮＶＩＴＥ）を送信して他のＳＩＰセッションの確立を希望する場合のシーケンスを説明する図である。
【００２３】
２０４で、画像通信装置１０２は、画像通信装置１０１に対して、ＩＮＶＩＴＥメッセージを送信する。このＩＮＶＩＴＥメッセージには、ＳＩＰセッションで利用したいメディア情報と受信ポート番号を記述したＳＤＰが含まれている。ここでは画像通信を目的として、m=image 9000 TCPと記述している。これにより、ディア種別ｉｍａｇｅ（画像）をＴＣＰのポート番号「９０００」を利用してデータ通信を行うＳＩＰセッションを確立することを提案している。画像通信装置１０１は、自装置宛の、このＩＮＶＩＴＥメッセージを受信すると、そのＩＮＶＩＴＥメッセージに含まれているオファーＳＤＰを精査する。そして、そのＩＮＶＩＴＥメッセージに、対応可能なメディア情報が記述されていれば、２０５で、200 OKメッセージを画像通信装置１０２に送信する。この200 OKメッセージには、画像通信装置１０１が受け入れるメディア情報（image）と受信ポート番号（9000）を記述したＳＤＰが含まれている。本実施形態では、m=image 9000 TCPと記述されている。これにより、画像通信装置１０１は、メディア種別ｉｍａｇｅ（画像）をＴＣＰのポート番号「９０００」を受信ポートとしてデータ通信を行うＳＩＰセッションを確立することに同意している。
【００２４】
こうして画像通信装置１０２は、200 OKを受信すると、２０６で、200 OKメッセージを受信したことを示すＡＣＫメッセージを画像通信装置１０１に送信する。これによって、画像通信装置１０２と画像通信装置１０１との間に、両者が同意したｉｍａｇｅのメディア情報でデータ通信を実現するＳＩＰセッションが確立されたこととなる。
【００２５】
こうして例えば図２（Ａ）の様に、ａｕｄｉｏのメディア種別でＳＩＰセッションが確立されると、音声による通話が可能となり、または、みなし音声として送受信されるＴ．３０ファクシミリ手順によるＶｏＩＰ方式のファクシミリ通信が可能になる。
【００２６】
また図２（Ｂ）のように、ｉｍａｇｅのメディア種別でＳＩＰセッションが確立されると、Ｔ．３８のデジタルファクシミリ手順によるファクシミリ通信が可能になる。
【００２７】
図３は、本実施形態に係る画像通信装置１０１のハードウェア構成を示すブロック図である。尚、画像通信装置１０２のハードウェア構成も、この画像通信装置１０１のハードウェア構成と同じであるため、その説明は省略する。
【００２８】
ＣＰＵ３０１は、リードオンリーメモリであるＲＯＭ３０２に格納されたプログラムに従ってこの画像通信装置全体の制御を行なう。また、ＴＣＰ／ＩＰのプロトコル処理も行ない、画像データのＴＣＰ／ＩＰフレームへの組立は、ＣＰＵ３０１の制御により行われる。ＲＡＭ３０３はランダムアクセスメモリであり、プログラム実行時のワークメモリとして使用されると共に、送受信する画像データのバッファリングにも使用される。スキャナＩ／Ｆ制御部３０４はスキャナ３０５の動作を制御しており、スキャナ３０５から出力される原稿の画像データをデジタルデータに変換し、そのデジタルデータはＣＰＵ３０１の制御の下にＲＡＭ３０３に転送され、送信或いは印刷される。圧縮処理部３０６は、例えばＭＨ，ＭＲ，ＭＭＲ或いはＪＢＩＧ方式の符号化及び復号化処理部で、画像データの送信時には、スキャナ３０５により得られた画像データを符号化してデータ圧縮する。また受信時には、符号化されている画像データを復号する。ＣＯＤＥＣ３０７は、Ｔ．３８インターネットファクシミリ信号を送受信するために必要な符号化／復号化方式を少なくともサポートしている。ＰＣＭ処理部３０８は、後述するように、音声信号、又はみなし音声として送受信されるファクシミリ信号のためのＶｏＩＰ方式の符号化／復号化方式をサポートする。
【００２９】
キー操作部３０９は、ダイヤルやファクシミリの送受信の操作ボタン等を含み、ユーザによる操作指示を受け付ける。またパネル制御部３１０は、各種情報の表示やユーザからの指示入力を行う操作パネル３１１を制御する。プリンタＩ／Ｆ制御部３１２は、例えば電子写真方式、インクジェット方式などの記録方式のプリンタ３１３を制御する。プリンタＩ／Ｆ制御部３１２は、受信（或いは他の方法で入力）した画像データを印刷用のラスタデータに変換し、そのラスタデータをプリンタ３１３に出力して印刷する。ＨＤＤ３１４はハードディスクドライブであり、印刷データの格納など、様々なデータの格納に使用される。ネットワークＩ／Ｆ制御部３１５はＬＡＮコントローラであり、ホームゲートウェイェース１０５（１０６）との間でＣＳＭＡ／ＣＤインターフェース１１０（１１１）を経由してデータの送受信を行なう。ネットワークＩ／Ｆ制御部３１５は、送信するデータを受け取ると、そのデータにＭＡＣ（Media  Access  Control）フレームヘッダとＦＣＳ等を付加してＣＳＭＡ／ＣＤインターフェース１１０に送信する。バス３１６は、ＣＰＵ３０１，ＲＡＭ３０３、圧縮処理部３０６，ＣＯＤＥＣ３０７，ＰＣＭ処理部３０８、ネットワークＩ／Ｆ制御部３１５等を接続し、ＣＰＵ３０１からの制御信号やデータ信号等を伝送する。
【００３０】
図４は、実施形態に係るＰＣＭ処理部３０８の構成を示すブロック図である。
【００３１】
モデム処理部４０１は、送信時には符号化された画像データを変調して、音声帯域のデジタル信号であるＰＣＭデータに変換してインターフェース変換部４０４に出力する。また受信時には、受信した音声帯域のデジタル信号であるＰＣＭデータを復調して、符号化された画像データを出力する。音声入出力部４０３は、音声の入出力を行う電話やハンドセットである。音声処理部４０２は、送信時には、音声入出力部４０３からのアナログ音声信号を音声帯域のデジタル音声信号であるＰＣＭデータに変換してインターフェース変換部４０５に出力する。また受信時は、受信した音声帯域のデジタル音声信号であるＰＣＭデータをアナログ音声信号に変換して音声入出力部４０３へ出力する。これらの音声帯域のデジタル音声信号は、音声信号又はみなし音声として送受信されるファクシミリ信号のためのＶｏＩＰ方式の符号化／復号化方式をサポートするＰＣＭデータである。インターフェース変換部４０４，４０５のそれぞれは、システムバスであるバス３１６（図３）とモデム処理部４０１、音声処理部４０２のＰＣＭインターフェース４０８，４０９を適合させて、データの送受信を行うためにインターフェース変換を行う。
【００３２】
クロック切り替え部４０６は、音声処理部４０２へ供給するクロック信号の切り替えを行うもので、インターフェース変換部４０５からのクロック信号とクロック発振部４０７で生成するクロック信号のいずれかを選択して音声処理部４０２へ供給する。このクロック切り替え部４０６は、通常動作時は、インターフェース変換部４０５からのクロック信号を選択してＰＣＭデータの転送を行う。一方、省電力モードに移行した後は、クロック発振部４０７で生成されたクロック信号を選択する。これにより省電力モードでは、音声処理部４０２をインターフェース変換部４０５から切り離すことができる。これにより、省電力モードで、インターフェース変換部４０５を省電力モードに移行した状態でも、音声処理部４０２の機能を継続することができる。
【００３３】
この実施形態では、省電力モードに移行した後、クロック発振部４０７により生成されたクロック信号がクロック切り替え部４０６を介して音声処理部３０２に供給される。しかしながら画像通信装置１０１が有するその他のクロック発振部で、省電力動作に移行時に継続して発振している場合は、そのクロック信号を音声処理部３０２に供給するようにしても良い。これにより、クロック発振部４０７を設けなくても、省電力モードで、クロック切り替え部４０６を介して音声処理部４０２にクロック信号を供給できる。
【００３４】
このように本実施形態に係る画像通信装置では、省電力モードに移行した後は、インターフェース変換部４０５からのクロック信号が不要となる。これにより、省電力モード時に、例えば接続されているマスタからのクロック信号の供給がなくても、例えば電話機のオフフック等により通常の電力供給状態に復帰することができる。よって、接続されているマスタも省電力モードに移行することができる。
【００３５】
図５（Ａ）（Ｂ）は、図４のＰＣＭインターフェース４０８，４０９のタイミングチャートを説明する図である。ＰＣＭインターフェースは、同期シリアル転送を行うためのインターフェースであり、図５（Ａ）、図５（Ｂ）の二つを例に説明する。
【００３６】
図５（Ａ）は、クロック信号（ＣＬＫ）、同期信号（ＦＳＹＮＣ）の二つのタイミング信号と、データ入力（ＳＤＩ）、データ出力（ＳＤＯ）のデータ信号、合計４線の信号線の場合を示す。ＰＣＭインターフェース４０８，４０９は、ＰＣＭインターフェース間のどちらか一方がマスタとなり他方がスレーブとなる。クロック信号（ＣＬＫ）、同期信号（ＦＳＹＮＣ）は、マスタがスレーブに供給するタイミング信号であり、マスタがＰＣＭインターフェースにおけるデータ転送のタイミングを決定している。
【００３７】
図５（Ａ）では、同期信号（ＦＳＹＮＣ）の立ち上がりエッジから二つ目のクロック信号（ＣＬＫ）の立上がりエッジよりデータ信号が開始することを表している。そして、それ以降の連続する、例えば８つのデータ入力（ＳＤＩ）、データ出力（ＳＤＯ）が有効なデータ信号であることを表している。
【００３８】
図５（Ｂ）は、クロック信号（ＣＬＫ）の一つのタイミング信号と、データ入力（ＳＤＩ）、データ出力（ＳＤＯ）の二つのデータ信号、合計３線の信号線の場合を示す。
【００３９】
ＰＣＭインターフェース４０８，４０９では、ＰＣＭインターフェース間のどちらか一方がマスタで他方がスレーブとなる。そしてマスタは、クロック信号（ＣＬＫ）をスレーブに供給して、マスタがＰＣＭインターフェースの転送タイミングを決定している。ここで、クロック信号（ＣＬＫ）が変化した最初の立下りエッジからデータ信号が開始することを表している。そして、それ以降の連続する、例えば８つのデータ入力（ＳＤＩ）、データ出力（ＳＤＯ）が有効なデータ信号であることを表している。
【００４０】
ＰＣＭインターフェース４０８，４０９はこれに限らず、一般的な同期シリアルインターフェースであっても良い。例えば、同期信号（ＦＳＹＮＣ）の代わりにチップセレクト（ＣＳ）を有する同期シリアル転送や、時分割で複数のデータ転送を行うＴＤＭ（Time  Division  Multiplexing）の同期シリアル転送であっても良い。
【００４１】
またインターフェース変換部４０４，４０５は、システムバス３１６に限らず、その他のインターフェースへ変換するものであっても良い。例えば、ＣＰＵ３０１の汎用インターフェースである非同期シリアル転送を行うＵＡＲＴ等の非同期シリアルインターフェースに変換するものであっても良い。
【００４２】
図６は、実施形態に係る音声処理部４０２の構成を説明するブロック図である。
【００４３】
ＰＣＭインターフェース部６０１は、前述した同期シリアル転送を行うためのインターフェース処理部であり、音声処理部４０２とインターフェース変換部４０５の間でＰＣＭデータの転送を行う。ＤＳＰ６０２は、様々なデジタル信号処理を行う信号処理部である。ここでは例えば送信時は、音声入出力部４０３からのアナログ音声信号をＡＤＣ・ＤＡＣ６０３を介して音声帯域のデジタル信号であるＰＣＭデータに変換する。又、受信時は、受信した音声帯域のデジタル信号であるＰＣＭデータをＡＤＣ・ＤＡＣ６０３を介してアナログ音声に変換して音声入出力部４０３へ出力している。ＡＤＣ・ＤＡＣ６０３は、アナログ信号をデジタル信号に変換し、又はデジタル信号をアナログ信号に変換する信号変換処理部である。
【００４４】
ＤＣ−ＤＣコントローラ部６０４は、ＣＰＵ３０１の制御の下で、ＤＳＰ６０２からの指示によりプログラマブルに変更可能なＤＣ電圧を生成し、ラインフィード部６０５を介して音声入出力部４０３へ供給する。例えば、音声入出力部４０３の動作状態がオンフックの場合は、音声入出力部４０３でオフフックした際の閉結電流を検出するため、ＤＣ−ＤＣコントローラ部６０４よりオンフック電圧を供給している。ラインフィード部６０５は、音声処理部４０２と音声入出力部４０３とのライン間でアナログ音声信号やオンフック電圧等をやり取りするためのインターフェース処理部である。ＰＬＬ（Phase  Locked  Loop）６０６は、一般に広く用いられており、ＰＤ（Phase  Detector）回路、ＬＰＦ回路、ＶＣＯ回路、分周回路等を有し、入力したクロック信号に同期、逓倍したクロック信号を出力する。
【００４５】
ここでＰＬＬ回路６０６は、クロック切り替え部４０６から入力されるクロック信号（CLK）を入力する。そして、そのクロック信号（CLK）に同期及びそのクロック信号を逓倍したクロック信号（CLK-PLL）を生成し、ＤＳＰ６０２やＡＤＣ・ＤＡＣ６０３等の各処理部に供給して、それらを動作させる。またＰＬＬ回路６０６は、ＣＰＵ３０１の制御の下で、入力したクロック信号に同期しないクロック信号を出力することも可能である。この場合は、ＶＣＯ回路がフリーラン動作を行い、音声処理部４０２のＰＣＭデータ転送以外のその他の機能を動作させるために必要なクロック信号を供給する。
【００４６】
図７は、本実施形態に係る画像通信装置１０１における省電力モードへの移行、及び省電力モードからの復帰処理を説明するフローチャートである。尚、この処理を実行するプログラムはＲＯＭ３０２に記憶されており、このプログラムをＣＰＵ３０１が実行することにより、このフローチャートで示す処理が達成される。ここでは、画像通信装置１０１において、通話或いは画像通信等の動作をしていない場合に省電力モードに移行し、通話或いは画像通信等の動作をさせる場合に通常動作に復帰する省電力動作の処理を例に説明する。
【００４７】
先ずＳ７０１でＣＰＵ３０１は、通話或いは画像通信等の動作をしていない時間が予め設定された時間に達しているかどうかを判定する。ここで、動作をしていない時間が予め設定された時間に達したと判定した場合は、省電力モードに移行する条件を満足した判定してＳ７０２に進む。Ｓ７０２でＣＰＵ３０１は、クロック切り替え部４０６を制御して、インターフェース変換部４０５からのクロック信号ではなく、クロック発振部４０７から出力されるクロック信号を音声処理部４０２に供給するように切り替える。これによりこれ以降は、音声処理部４０２は、クロック発振部４０７からのそのクロック信号により動作を継続できる。こうして音声処理部４０２のＤＳＰ６０２は、音声入出力部４０３の動作状態がオフフックした際の閉結電流を検出できるように、ＤＣ−ＤＣコントローラ部６０４を介して音声入出力部４０３にオンフック電圧を供給し続ける。
【００４８】
次にＳ７０３に進みＣＰＵ３０１は、省電力モードに移行した際の音声入出力部４０３の動作を設定するため、音声処理部４０２に事前処理を設定する。これらは、例えば省電力モードに移行した際に、音声入出力部４０３をオフフックした場合、無音出力とするか、或いは受話器にＤＴ（Ｄｉａｌ  Ｔｏｎｅ）出力とするか等を設定するものである。こうして、省電力モードで機能を継続する必要がある音声入出力部４０３のオフフック検出動作は、クロック信号発生部４０７からのクロック信号により実行されるため、インターフェース変換部４０５は関与しないことになる。
【００４９】
次にＳ７０４に進みＣＰＵ３０１は、省電力モードで機能を継続する必要のない処理部への電力の供給やクロック信号の供給を停止する。こうしてＳ７０５で画像通信装置１０１は、省電力モードでの省電力動作に移行することになる。
【００５０】
この省電力動作は、モデム処理部４０１やインターフェース変換部４０４，４０５のみならず、図３に示す構成の内、省電力モードでの動作時に機能を継続する必要のない処理部への電力供給やクロック信号の供給も停止することも含んでいる。
【００５１】
次にＳ７０６でＣＰＵ３０１は、通話或いは画像通信等の動作を行うため、通常動作に復帰させる、省電力モードからの復帰条件が満足されたかどうかを判定する。ここで復帰条件が満足されたと判定した場合はＳ７０７に処理を進めて、通常動作に復帰するための処理を開始する。尚、この復帰条件とは、例えば、ユーザが音声入出力部４０３をオフフックした場合や、ユーザが操作パネル３１１を操作した場合、或いはネットワークＩ／Ｆ制御部３１５介してジョブを受信した場合等である。
【００５２】
Ｓ７０７でＣＰＵ３０１は、省電力モードで、機能を継続する必要のないため停止していた処理部への電力供給やクロック信号の供給が開始され、省電力モードに移行した以前の状態に戻す。次にＳ７０８に進みＣＰＵ３０１は、クロック切り替え部４０６を制御して、インターフェース変換部４０５からのクロック信号を音声処理部４０２に供給するように切り替える。またＳ７０９でＣＰＵ３０１は、前述のＳ７０３で省電力モードへの移行時に設定した事前設定を無音設定等に戻す等の事前設定の解除処理を実行する。そしてＳ７１０に進みＣＰＵ３０１は、画像通信装置１０１を省電力モードから通常の動作モードへ復帰させる。
【００５３】
尚、事前処理の設定は、省電力モードから復帰する復帰時間が必要な場合、音声入力部４０３の受話器をオフフックしたとき、電源やクロック信号の復帰処理の過程で発生するノイズが聞こえないよう予め処理を行うものである。
【００５４】
また一方、省電力モードから復帰する復帰時間によっては、電源やクロック信号の復帰処理の過程で発生するノイズの影響が少なく、むしろ受話器がオフフックしたことを早く通知したい場合がある。そのような場合は、ＤＴ（Ｄｉａｌ  Ｔｏｎｅ）を出力するように、予め処理を行うといった設定を含む。
【００５５】
このように本実施形態によれば、省電力モードで、省電力モードからの復帰条件が発生したことを検出するためのクロック信号として、内蔵しているクロック発振部からのクロック信号を用いる。これにより、マスタからのクロック信号の供給がなくなった場合でも省電力モードの状態において、省電力モードで必要な処理を実行できる。これにより省電力モードにおいて、オフフックや操作パネル３１１からのユーザの操作を検知すると、直ちに、省電力モードから通常モードへ復帰することができる。
【００５６】
図８（Ａ）〜（Ｃ）は、本発明の他の実施形態に係るＰＣＭ処理部３０８の構成を説明するブロック図である。
【００５７】
図８（Ａ）は、インターフェース変換部４０４からインターフェース変換部４０５へ、例えばクロック信号又は同期信号のタイミング信号を供給しているところが、図４と異なっている。この場合、ＰＣＭインターフェース４０８で、ＦＡＸモデム処理部がマスタとしてスレーブのインターフェース変換部４０４にタイミング信号を供給する。これにより、インターフェース変換部４０４は、そのタイミング信号に同期したタイミング信号をインターフェース変換部４０５に供給することになる。
【００５８】
更に、ＰＣＭインターフェース４０９で、インターフェース変換部４０５がマスタとしてスレーブの音声処理部４０２にタイミング信号を供給する。これにより、ＰＣＭ処理部３０８が、モデム処理部４０１の一系統の同期関係で動作することになる。従って、同期関係が簡潔になり、インターフェース変換部４０４，４０５を共通のデバイスで構成することも可能である。尚、図４では、ＰＣＭインターフェース４０８，４０９では、どちらか一方がマスタとなり、他方がスレーブとしていたがこれに限定されることはない。
【００５９】
図８（Ｂ）は、ＰＣＭインターフェース４０８で用いられるタイミング信号を、ＰＣＭインターフェース４０９にも供給し、両者をスレーブとしてデータの転送を行っているところが図４と異なっている。ここでは、ＰＣＭインターフェース４０８，４０９は、同一のタイミング信号で同期して動作するため、例えば、同一の受信信号を転送する場合、特にタイミングを考慮せずモデム処理部４０１と音声処理部４０２に転送できる。
【００６０】
ところで、受信信号が通話による音声信号か、またはみなし音声として受信されるファクシミリ信号かを、ＣＮＧ（Calling）信号の有無を検出することにより自動的に判別する自動受信動作（ＦＡＸ／ＴＥＬ切り替え動作）がある。これは、不図示であるが、例えば音声処理部４０２へ供給するデータをモデム処理部４０１へ供給し、モデム処理部４０１で音ＣＮＧ（Calling）信号を検出する場合に該当している。
【００６１】
図８（Ｃ）は、図４の構成から、クロック切り替え部４０６、クロック発振部４０７を除いた構成を示す。この場合の音声処理部４０２の構成は、図６に示す構成と同じであるが、ＰＬＬ回路６０６は省電力モードで、インターフェース変換部４０５からのクロック信号により動作しない点が異なる。即ち、ＰＬＬ回路６０６は、ＣＰＵ３０１の制御の下で、ＰＬＬ回路６０６のＶＣＯ回路をフリーランさせて内部クロック信号を発生し、この内部クロック信号をＤＳＰ６０２，ＡＤＣ／ＤＡＣ６０３に供給する。これにより、省電力モード時は、インターフェース変換部４０５と音声処理部４０２とを切り離すとともに、音声処理部４０２の動作を継続させることができる。
【００６２】
尚、図８（Ａ）、図８（Ｂ）においても、ＰＬＬ回路６０６のＶＣＯ回路をフリーランさせて内部クロック信号を発生させ、その内部クロック信号をＤＳＰ６０２，ＡＤＣ／ＤＡＣ６０３に供給するようにしても良い。
【００６３】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015119369.tif 000003
【図２】
2015119369.tif 000004
【図３】
2015119369.tif 000005
【図４】
2015119369.tif 000006
【図５】
2015119369.tif 000007
【図６】
2015119369.tif 000008
【図７】
2015119369.tif 000009
【図８】
2015119369.tif 000010